(57)【要約】【課題】ラッチ機構をコンパクト化できるとともに少ない回転操作角度でラッチを錠ケース内へ引き込むことができる面付錠のラッチ機構を得る。【解決手段】扉面３７に固定された錠ケース21から進退するラッチ２５の先端を扉開閉端３３から突出させて被係止体に係止することで扉１１を開扉規制する面付錠１００のラッチ機構であって、扉面３７に垂直な方向で扉１１及び錠ケース21を軸部３５が貫通して回動自在な開閉操作部材２３と、錠ケース21内における軸部３５に固定されるカム板と、錠ケース21内に軸部３５と同方向で立設される揺動軸に基端が回動自在に支持されるとともに先端がラッチ２５をケース内後退方向へ押圧する増幅揺動アームと、基端がカム板に回動自在に固定されるとともに先端が増幅揺動アームに回動自在に固定される連結アームとを備え、カム板と連結アームとの固定部の回転距離を、ラッチ２５のケース内後退方向の距離より小さく設定した。【選択図】      図１
2008144481.tif 000002
【特許請求の範囲】
【請求項１】
扉面に固定された錠ケースから進退するラッチの先端を扉開閉端から突出させて被係止体に係止することで扉を開扉規制する面付錠のラッチ機構であって、
前記扉面に垂直な方向で該扉及び前記錠ケースを軸部が貫通して回動自在な開閉操作部材と、
前記錠ケース内における前記軸部に固定されるカム板と、
前記錠ケース内に前記軸部と同方向で立設される揺動軸に基端が回動自在に支持されるとともに先端が前記ラッチをケース内後退方向へ押圧する増幅揺動アームと、
基端が前記カム板に回動自在に固定されるとともに先端が該増幅揺動アームに回動自在に固定される連結アームと、
を備え、
前記カム板と前記連結アームとの固定部の回転距離が、前記ラッチのケース内後退方向の距離より小さいことを特徴とする面付錠のラッチ機構。
【請求項２】
前記揺動軸が、前記カム板と前記扉開放端との間に配設されたことを特徴とする請求項１記載の面付錠のラッチ機構。
【請求項３】
前記連結アームの基端が前記カム板の回転半径外側に回動自在に固定されるとともに前記連結アームの先端が前記増幅揺動アームの回動半径の略中央部と前記揺動軸との間の該増幅揺動アームに回動自在に固定されたことを特徴とする請求項１又２記載の面付錠のラッチ機構。
【請求項４】
前記増幅揺動アームの先端が前記ラッチのケース内後退方向の後端部を押圧することを特徴とする請求項１又は２又は３に記載の面付錠のラッチ機構。
【請求項５】
前記開閉操作部材がレバーハンドルであることを特徴とする請求項１，２，３，４のいずれか１つに記載の面付錠のラッチ機構。
【発明の詳細な説明】
【技術分野】
【０００１】
本発明は、扉面に固定された錠ケースから進退するラッチの先端を扉開閉端から突出させて被係止体に係止することで扉を開扉規制する面付錠のラッチ機構に関し、例えば全面ガラス扉に用いて好適なものである。
【背景技術】
【０００２】
近年、ガラス素材の強度向上によって全面ガラス扉が多用されるようになってきている。全面ガラス扉は、例えばオフィスビルの玄関や店舗の入り口に設置される場合に、施錠装置を設ける必要がある。従来、この種の全面ガラス扉に施錠装置を設ける場合には、吊元金具や、上框、下框或いは中央部に付設した金属枠部に施錠装置を設けるのが一般的であった。ところが、施錠装置を設けるために金属枠部分を付設するのでは、折角の全面ガラス扉の意匠性を低下させることがあり、好ましくはこれら金属枠部分が設けられない方が良い。このような不具合を解消するものに、扉ガラス素材に直接穿設した取付穴を利用して、施錠装置のみを全面ガラス扉に取り付けた特許文献１のドア錠が提案されている。このドア錠によれば、全面ガラス扉に施錠装置を設けるための金属枠部を付設せずに、全面ガラス扉の開閉端にドア錠のみを取り付けでき、全面ガラス扉の意匠性を損ねず、見栄えを向上させることができた。
【０００３】
【特許文献１】特表２００２−５２３６６０号公報
【発明の開示】
【発明が解決しようとする課題】
【０００４】
上記した従来のドア錠は、扉ガラス素材に直接穿設した取付穴を利用して取付けできることから、金属枠部分を付設する場合に比べ、全面ガラス扉の意匠性を低下させずに済む。しかし、全面ガラスであることから、意匠性、デザイン性等を更に加味すると、その施錠装置の専有面積はできる限り小さいことが好ましい。このような事情からよりコンパクトな全面ガラス扉用施錠装置の要請があった。また、両開きの全面ガラス扉の場合、扉同士の干渉を回避することから離間距離が比較的大きく確保される。このため、例えばラッチ機構によって進退させるラッチの進退作動距離を大きくしなければならず、開閉操作部材であるレバーハンドル等の回転操作角度が大きくなって、操作性を低下させることがあった。
【０００５】
本発明は上記状況に鑑みてなされたもので、ラッチ機構をコンパクト化できるとともに少ない回転操作角度でラッチを錠ケース内へ引き込むことができる面付錠のラッチ機構を提供し、もって、意匠性、操作性の向上を図ることを目的とする。
【課題を解決するための手段】
【０００６】
次に、上記の課題を解決するための手段を、実施の形態に対応する図面を参照して説明する。
本発明の請求項１記載の面付錠のラッチ機構は、扉面３７に固定された錠ケース２１から進退するラッチ２５の先端２５ａを扉開閉端３３から突出させて被係止体１７に係止することで扉１１を開扉規制する面付錠１００のラッチ機構であって、
前記扉面３７に垂直な方向で該扉１１及び前記錠ケース２１を軸部３５が貫通して回動自在な開閉操作部材２３と、
前記錠ケース２１内における前記軸部３５に固定されるカム板４１と、
前記錠ケース２１内に前記軸部３５と同方向で立設される揺動軸７５に基端が回動自在に支持されるとともに先端が前記ラッチ２５をケース２１内後退方向へ押圧する増幅揺動アーム７７、
基端が前記カム板４１に回動自在に固定されるとともに先端が該増幅揺動アーム７７に回動自在に固定される連結アーム８３と、
を備え、
前記カム板４１と前記連結アーム８３との固定部９３の回転距離が、前記ラッチ２５のケース内後退方向の距離より小さいことを特徴とする。
【０００７】
この面付錠のラッチ機構では、ラッチ２５を後退させるための開閉操作部材２３の回転角度θ、すなわち、カム板４１の回転角度θが小さくなり、カム板作動のための回転専有空間が小さく抑止される。これに加え、ラッチ２５も、開閉操作部材２３の少ない回転操作角度θで錠ケース２１内へ引き込み可能となる。これにより、扉１１が特に全面ガラスの場合に、錠ケース２１が小さく形成されて目立たなくなる。
【０００８】
請求項２記載の面付錠のラッチ機構は、前記揺動軸７５が、前記カム板４１と前記扉開放端３３との間に配設されたことを特徴とする。
【０００９】
この面付錠のラッチ機構では、カム板４１と扉開閉端３３との間で往復作動するラッチ２５の収容空間に並設して増幅揺動アーム７７が配設可能となり、カム板４１と扉開閉端３３との間のラッチ収容空間が有効利用される。すなわち、カム板４１を挟んで反対側に増幅揺動アーム７７が配置される場合に比べ、錠ケース２１内における構成部材の高密度配置が可能となる。
【００１０】
請求項３記載の面付錠のラッチ機構は、前記連結アーム８３の基端が前記カム板４１の回転半径外側に回動自在に固定されるとともに前記連結アーム８３の先端が前記増幅揺動アーム７７の回動半径の略中央部と前記揺動軸７５との間の該増幅揺動アーム７７に回動自在に固定されたことを特徴とする。
【００１１】
この面付錠のラッチ機構では、開閉操作部材２３の回転から大きな回転入力距離が取り出せ、且つこの回転入力距離が増幅揺動アーム７７の揺動軸７５側に入力されることで、回転入力距離が増幅させて増幅揺動アーム７７のラッチ後退作動距離に変換される。
【００１２】
請求項４記載の面付錠のラッチ機構は、前記増幅揺動アーム７７の先端が前記ラッチ２５のケース内後退方向の後端部８１を押圧することを特徴とする。
【００１３】
この面付錠のラッチ機構では、増幅揺動アーム７７の先端がラッチ２５の中央部を押圧する場合に比べ、増幅揺動アーム７７がカム板４１に近接して配置可能となる。これにより、ラッチ２５と平行に形成される錠ケース内の収容空間に、増幅揺動アーム７７がカム板４１寄りに片寄せ配置され、構成部材が高密度に収容可能となる。
【００１４】
請求項５記載の面付錠のラッチ機構は、前記開閉操作部材がレバーハンドル２３であることを特徴とする。
【００１５】
この面付錠のラッチ機構では、開閉操作部材が例えば玉状握りハンドル等である場合に比べ、回動中心から操作力の印加される作用点までの距離が大きく確保され、少ない回転操作力が容易且つ確実にラッチ機構へ入力可能となる。
【発明の効果】
【００１６】
本発明に係る請求項１記載の面付錠のラッチ機構によれば、錠ケースと扉とを貫通して開閉操作部材の軸部を回動自在に支持し、錠ケース内における軸部にカム板を固定し、ラッチをケース内後退方向へ押圧する増幅揺動アームを揺動軸に回動自在に支持し、カム板と増幅揺動アームとを連結アームで連結し、カム板と連結アームとの固定部における回転距離を、ラッチのケース内後退方向の距離より小さく設定したので、ラッチを後退させるための開閉操作部材の回転角度、すなわち、カム板の回転角度を小さくすることができ、カム板作動のための回転専有空間を小さく抑止して、ラッチ機構をコンパクト化することができる。これに加え、ラッチも、開閉操作部材の少ない回転操作角度で錠ケース内へ引き込むことができる。この結果、扉が特に全面ガラスの場合に、錠ケースを小さく形成して意匠性を高めることができるとともに、回転操作性も向上させることができる。
【００１７】
請求項２記載の面付錠のラッチ機構によれば、揺動軸をカム板と扉開放端との間に配設したので、カム板と扉開閉端との間で往復作動するラッチの収容空間に並設して増幅揺動アームを配設することができ、カム板と扉開閉端との間のラッチ収容空間を有効利用でき、カム板を挟んで反対側に増幅揺動アームを配置する場合に比べ、錠ケースをコンパクト化することができる。
【００１８】
請求項３記載の面付錠のラッチ機構によれば、連結アームの基端がカム板の回転半径外側に固定されるとともに連結アームの先端が増幅揺動アームの回動半径の略中央部と揺動軸との間の増幅揺動アームに固定されたので、開閉操作部材の回転から大きな回転入力距離を取り出し、この回転入力距離を増幅揺動アームの揺動軸側に入力することで、回転入力距離を増幅させて増幅揺動アームのラッチ後退作動距離に変換することができる。この結果、少ない開閉操作部材の回転角度で、ラッチを後退操作することが可能となる。
【００１９】
請求項４記載の面付錠のラッチ機構によれば、増幅揺動アームの先端がラッチのケース内後退方向の後端部を押圧するので、増幅揺動アームの先端がラッチの中央部を押圧する場合に比べ、増幅揺動アームをカム板に近接配置でき、ラッチと平行に形成される錠ケース内の収容空間に、増幅揺動アームをカム板寄りに片寄せて配置でき、構成部材の収容密度を高めて、ラッチ機構をコンパクト化することができる。
【００２０】
請求項５記載の面付錠のラッチ機構によれば、開閉操作部材がレバーハンドルであるので、玉状握りハンドル等に比べ、少ない回転操作力を容易且つ確実にラッチ機構へ入力可能にし、操作性を向上させることができる。
【発明を実施するための最良の形態】
【００２１】
以下、本発明に係る面付錠のラッチ機構の好適な実施の形態を図面を参照して詳細に説明する。
図１は本発明に係るラッチ機構を備えた面付錠の室内側から視た斜視図、図２は図１に示した面付錠の取り付けられた全面ガラス扉を室外側から視た正面図、図３は図１に示した面付錠を室外側から視た斜視図である。
本実施の形態による面付錠のラッチ機構は、開閉体である例えば両開きの全面ガラス扉に好適に用いることができる。この他、当該ラッチ機構は、片開きの全面ガラス扉、両開き・片開きのスチール扉等に用いても好適なものである。本実施の形態では、当該ラッチ機構を備えた図１に示す面付錠１００が両開きの全面ガラス扉１１に設けられる例を説明する。
【００２２】
図２に示すように、建物開口の左右にはガラスパネル１３，１３が設けられ、ガラスパネル１３，１３は開口サッシ等に取付固定されている。ガラスパネル１３，１３に挟まれる出入口開口部のサッシには上記した一対の全面ガラス扉１１，１１がヒンジ１５，１５を介して開閉自在に支持され、全面ガラス扉１１，１１は、一方向（本実施の形態では室内側）へ両開き可能となる。また、全面ガラス扉１１，１１は、通常、一方の全面ガラス扉１１ａが開閉規制され、他方の全面ガラス扉１１ｂのみが開閉可能となって使用される。一方の全面ガラス扉１１ａの開閉規制は、例えばヒンジ１５に設けられる開閉規制手段等によって可能となる。
【００２３】
一方の全面ガラス扉１１ａには被係止体１７が取り付けられ、被係止体１７は面付錠１００から突出する後述のラッチの先端を係止可能としている。つまり、一方の全面ガラス扉１１ａが固定されている状態で、他方の全面ガラス扉１１ｂは、ラッチが被係止体１７に係止することで、室内側（図２の紙面裏面側）への開放が規制される。
【００２４】
面付錠１００は、錠ケース２１と、開閉操作部材であるレバーハンドル２３，２３と、ラッチ２５と、サムターン２７と、シリンダ錠２９と、トリガー３１とが外部に表出して設けられている。なお、サムターン２７とトリガー３１とは、本実施の形態の構成部材として特に含まれなくても良い。錠ケース２１は、室外側ケース２１ａと室内側ケース２１ｂとからなる。室外側ケース２１ａと室内側ケース２１ｂとは、全面ガラス扉１１ｂの扉開閉端３３を挟持して取り付けられる。室外側ケース２１ａと室内側ケース２１ｂとのそれぞれからは、先端にハンドル部３３を形成した軸部３５が扉面３７に垂直な方向で突出している。
【００２５】
面付錠１００は、全面ガラス扉１１ｂに固定された錠ケース２１から進退するラッチ２５の先端を扉開閉端３３から突出させて、被係止体１７に係止することで全面ガラス扉１１ｂを施錠（開扉規制状態と）する。また、レバーハンドル２３，２３は、扉面３７に垂直な方向で、全面ガラス扉１１ｂ及び錠ケース２１を軸部３５が貫通して回動自在となっている。面付錠１００は、開閉操作部材としてレバーハンドル２３が用いられることで、開閉操作部材が例えば玉状握りハンドル等である場合に比べ、回動中心（軸部３５の中心）から操作力の印加される作用点までの距離が大きく確保され、少ない回転操作力が容易且つ確実にラッチ機構へ入力可能となっている。
【００２６】
図４は図１に示した面付錠の内部構成を表す正面図、図５は図４の分解斜視図である。
室内側ケース２１ｂ内には開口５３を介して軸部３５が挿通され、挿通された軸部３５にはカムボス５５が外挿される。カムボス５５は、軸部３５との相対回転を規制する内筒５７と、その外周に固着されカム板４１との相対回転を規制する外筒５９とからなる。軸部３５の外周には内筒５７の貫通穴６１が外挿され、外筒５９の外周にはカム板４１の貫通穴４３が外挿される。カム板４１は、板金材よりなる一対の板材を平行に折り曲げて形成される。また、カム板４１には不図示の捩りバネが内設され、捩りバネはカム板４１を図４の時計回りに付勢している。カム板４１の外周には凹所を挟んで回転規制突起４５とストッパ４７とが形成され、回転規制突起４５とストッパ４７とはカム板４１が正逆回転することで、室内側ケース２１ｂの内壁４９に立設された起立ピン５１にそれぞれが当接してカム板４１の所定回転角度範囲外の回転を阻止するようになっている。また、起立ピン５１には図４に示す消音カラー６３が外挿され、消音カラー６３はカム板４１との接触音を軽減可能としている。
【００２７】
室内側ケース２１ｂの上部には横方向に長い上記のラッチ２５が長手方向に往復動自在に収容され、ラッチ２５は先端２５ａを全面ガラス扉１１ｂの扉開閉端３３から突出可能としている。つまり、ラッチ２５は、往動することで室内側ケース２１ｂから進出して扉開閉端３３から突出され、復動することにより室内側ケース２１ｂ内に後退するようになっている。ラッチ２５は、扉開閉端３３から突出した状態で、被係止体１７の係止部（例えばストライク）６５に係止する。これにより、全面ガラス扉１１ｂは開扉規制されることとなる。また、ラッチ２５には不図示の圧縮バネが内設され、圧縮バネはラッチ２５を突出方向へ付勢している。
【００２８】
室内側ケース２１ｂの内壁４９には突出規制ピン６７が立設され、突出規制ピン６７はラッチ２５の所定量以上の往動を規制する。突出規制ピン６７には消音カラー６９が外挿され、消音カラー６９はラッチ２５と突出規制ピン６７との接触音を軽減可能としている。また、室内側ケース２１ｂの内壁４９にはサムターン軸７１の貫通する開口穴７３が穿設される。
【００２９】
室内側ケース２１ｂの内壁４９には揺動軸７５が立設され、揺動軸７５には増幅揺動アーム７７の支持穴７９が外挿される。この増幅揺動アーム７７は、基端が揺動軸７５に回動自在に支持され、先端７７ａがラッチ２５をケース内後退方向へ押圧するようになっている。
【００３０】
面付錠１００では、増幅揺動アーム７７の先端７７ａがラッチ２５のケース内後退方向の後端部８１を押圧する。後端部８１は、板金材によって形成したラッチ２５の後端展開壁部を折り曲げ、その突起８１ａを側板の穴部に係合することで形成される。このように、面付錠１００では、増幅揺動アーム７７の先端７７ａが後端部８１を押圧するので、先端７７ａがラッチ２５の中央部を押圧する場合に比べ、増幅揺動アーム７７がカム板４１に近接して配置可能となる。これにより、ラッチ２５と平行に形成される室内側ケース２１ｂ内の収容空間に、増幅揺動アーム７７がカム板寄りに片寄せ配置され、構成部材が高密度に収容可能となって、ラッチ機構のコンパクト化を実現している。
【００３１】
また、面付錠１００では、揺動軸７５を、カム板４１と扉開閉端３３との間に配設している。これにより、カム板４１と扉開閉端３３との間で往復作動するラッチ２５の収容空間に並設して増幅揺動アーム７７が配設可能となり、カム板４１と扉開閉端３３との間のラッチ収容空間が有効利用される。すなわち、カム板４１を挟んで反対側に増幅揺動アーム７７が配置される場合に比べ、室内側ケース２１ｂ内における構成部材の高密度配置が可能となる。この結果、カム板４１を挟んで反対側に増幅揺動アーム７７を設ける配置構成に比べ、錠ケース２１をコンパクト化することができる。
【００３２】
カム板４１には連結アーム８３の基端が回動自在に固定され、連結アーム８３の先端は増幅揺動アーム７７に回動自在に固定されている。連結アーム８３の基端には連結穴８５が穿設され、連結アーム８３の先端には連結穴８７が穿設される。一方、カム板４１の外周近傍には連結穴８９が穿設され、増幅揺動アーム７７には連結穴９１が穿設されている。連結アーム８３の基端とカム板４１とは、連結穴８５、連結穴８９に嵌入される連結ピン９３によって連結される。また、連結アーム８３の先端と増幅揺動アーム７７とは、連結穴８７、連結穴９１に嵌入される連結ピン９５によって連結される。
【００３３】
面付錠１００では、カム板４１からの回転力を、連結アーム８３と増幅揺動アーム７７とを介してラッチ２５へ伝達することにより、カム板４１と連結アーム８３との固定部（すなわち、連結ピン９３）の回転距離が、ラッチ２５のケース内後退方向の距離よりも小さくなるように構成されている。つまり、ラッチ２５の早戻し機構が構成されている。
【００３４】
この早戻し機構は、連結アーム８３の基端をカム板４１の回転半径外側に固定するとともに、連結アーム８３の先端を増幅揺動アーム７７の回動半径（すなわち増幅揺動アーム７７自体の長さ）の略中央部と揺動軸７５との間の当該増幅揺動アーム７７に固定することで構成されている。すなわち、これら部材の関係は、好ましくは、（増幅揺動アーム７７の長さである揺動軸７５とラッチ２５に接する先端７７ａの距離）＞（カム板４１における軸部３５中心から連結ピン９３中心の距離）＞（増幅揺動アーム７７の揺動軸７５中心から連結アーム８３先端との連結ピン９５中心の距離）、或いは、（増幅揺動アーム７７の長さである揺動軸７５とラッチ２５に接する先端７７ａの距離）＞（カム板４１における軸部３５中心から連結ピン９３中心の距離）≧（増幅揺動アーム７７の揺動軸７５中心から連結アーム８３先端との連結ピン９５中心の距離）となるようそれぞれの長さが設定され、カム板４１の回転による揺動長さに比して増幅揺動アーム７７の先端７７ａの揺動長さが大きくなり、これによってラッチ２５の後退方向の距離が大きくなる。
【００３５】
この早戻し機構では、連結アーム８３の基端がカム板４１の回転半径外側に固定されていることで、レバーハンドル２３の回転から大きな回転入力距離が取り出せ、且つこの回転入力距離が増幅揺動アーム７７の揺動軸７５側に入力されることで、回転入力距離が増幅されて、増幅揺動アーム７７のラッチ後退作動距離に変換される。この結果、少ないレバーハンドル２３の回転角度で、ラッチ２５を後退操作することが可能となっている。通常のレバーハンドル２３が４５°程度の開閉操作角度が必要となるのに対し、本実施の形態による構成では、２３°程度の開閉操作角度θの入力でラッチ２５の後退を可能としている。
【００３６】
次に、上記したラッチ機構の作用を説明する。
図６は閉扉状態でのレバーハンドル回転時の動作説明図、図７は開扉状態の動作説明図である。
面付錠１００は、図４に示す全面ガラス扉１１ｂの閉止状態において、ラッチ２５が扉開閉端３３から突出され、被係止体１７の係止部６５に係止して、全面ガラス扉１１ｂを開扉規制状態としている。また、トリガー３１は、室内側ケース２１ｂ内に後退された状態となっている。
【００３７】
全面ガラス扉１１ｂの開扉操作のためにレバーハンドル２３が図６の半時計回りに回転されると、カム板４１が同方向へ回転され、カム板４１に連結アーム８３を介して連結された増幅揺動アーム７７も同方向へ回転される。増幅揺動アーム７７が半時計回りに回転されることで、増幅揺動アーム７７の先端７７ａがラッチ２５の後端部８１を図６の左方へ押圧し、ラッチ２５が室内側ケース２１ｂ内へ引き込まれることとなる。
【００３８】
これにより、ラッチ２５の先端２５ａが係止部６５から外れ、全面ガラス扉１１ｂの開扉規制状態が解除される。全面ガラス扉１１ｂが開放され、レバーハンドル２３への開扉操作力が消失すると、カム板４１が捩りバネによって図７の時計回りに回転され、ストッパ４７が起立ピン５１に当接してカム板４１の回転が停止する。また、ラッチ２５も圧縮コイルバネによって図７の右方へ移動され、突出規制ピン６７に当接して所定量以上の突出が規制される。この状態でトリガー３１も突出される。
【００３９】
このように、面付錠１００では、ラッチ２５を後退させるためのレバーハンドル２３の回転角度θ、すなわち、カム板４１の回転角度θが小さくなり、カム板作動のための回転専有空間が小さく抑止されている。これに加え、ラッチ２５も、レバーハンドル２３の少ない回転操作角度で室内側ケース２１ｂ内へ引き込み可能となる。これにより、全面ガラス扉１１ｂが特に全面ガラスの場合に、錠ケース２１が小さく形成されて目立たなくなる。
【００４０】
したがって、本実施の形態による面付錠１００のラッチ機構によれば、錠ケース２１と全面ガラス扉１１ｂとを貫通してレバーハンドル２３の軸部３５を回動自在に支持し、室内側ケース２１ｂ内における軸部３５にカム板４１を固定し、ラッチ２５をケース内後退方向へ押圧する増幅揺動アーム７７を揺動軸７５に回動自在に支持し、カム板４１と増幅揺動アーム７７とを連結アーム８３で連結し、カム板４１と連結アーム８３との固定部における回転距離を、ラッチ２５のケース内後退方向の距離より小さく設定したので、ラッチ２５を後退させるためのレバーハンドル２３の回転角度θ、すなわち、カム板４１の回転角度θを小さくすることができ、カム板４１の作動のための回転専有空間を小さく抑止して、ラッチ機構をコンパクト化することができる。
【００４１】
これに加え、ラッチ２５も、レバーハンドル２３の少ない回転操作角度θで室内側ケース２１ｂ内へ引き込むことができる。この結果、扉１１が特に全面ガラスの場合に、錠ケース２１を小さく形成して意匠性を高めることができるとともに、回転操作性も向上させることができる。
【００４２】
また、開閉操作部材がレバーハンドル２３であるので、玉状握りハンドル等に比べ、少ない回転操作力を容易且つ確実にラッチ機構へ入力可能にし、操作性を向上させることができる。
【００４３】
なお、上記の実施の形態では、開閉操作部材がレバーハンドル２３である場合を例に説明したが、本発明に係る面付錠のラッチ機構は、開閉操作部材が玉状握りハンドル、所謂ノブであっても勿論よく、あるいは、異形の操作部材としてもよく、いずれも、操作時における回転角度が少なく構成でき、操作部材として狭小範囲内への設置なども可能となる。そして、上記したレバーハンドル２３を含め、操作者の操作範囲を小さくすることができるものであり、開閉操作の動作が大きくとれない者であっても開閉操作を行うことができるものである。
【００４４】
また、上記の実施の形態では、面付錠１００が、両開きの全面ガラス扉１１に設けられる場合を例に説明したが、面付錠は、片開きの全面ガラス扉、両開き・片開きのスチール扉、或いは、木製扉等に用いられても勿論よく、錠装置として小型な構造であることから、小型な扉にも対応可能であり、且つその種々の素材の扉の意匠性に大きな影響を与えることなく、良好な錠装置を構成させることが可能となる。
【図面の簡単な説明】
【００４５】
【図１】本発明に係るラッチ機構を備えた面付錠の室内側から視た斜視図である。
【図２】図１に示した面付錠の取り付けられた全面ガラス扉を室外側から視た正面図である。
【図３】図１に示した面付錠を室外側から視た斜視図である。
【図４】図１に示した面付錠の内部構成を表す正面図である。
【図５】図４の分解斜視図である。
【図６】閉扉状態でのレバーハンドル回転時の動作説明図である。
【図７】開扉状態の動作説明図である。
【符号の説明】
【００４６】
１１…扉（全面ガラス扉）
１７…被係止体
２１…錠ケース
２３…開閉操作部材（レバーハンドル）
２５…ラッチ
２５ａ…先端
３３…扉開閉端
３５…軸部
３７…扉面
４１…カム板
７５…揺動軸
７７…増幅揺動アーム
７７ａ…先端
８１…ラッチのケース内後退方向の後端部
８３…連結アーム
１００…面付錠
【図１】
2008144481.tif 000003
【図２】
2008144481.tif 000004
【図３】
2008144481.tif 000005
【図４】
2008144481.tif 000006
【図５】
2008144481.tif 000007
【図６】
2008144481.tif 000008
【図７】
2008144481.tif 000009